(57)【要約】      （修正有）【課題】火災などの際に使用される初期消火に必要な器具一式を全て積載出来る運搬用台車であり、運搬の際、脱落する不具合の多かった消防用ホースの脱落を防止し、非常時に安全かつ確実に初期消火器具を運搬することが出来る台車を提供する。【解決手段】消防用ホース積載部の外周に略コの字状のホースガード１１を配設し、ホースガードにより、運搬時の消防用ホース２の脱落を防止する。【選択図】図１
0003201182.tif 000002
【実用新案登録請求の範囲】
【請求項１】
初期消火活動の必要部材である消防用ホースと、媒介金具を付設したスタンドパイプ、筒先、消火栓蓋開閉キー、可変ノズルを、全てを配設した運搬用台車であって、消防用ホース設置部の外周にホースガードを配設したことを特徴とする初期消火器具を積載した運搬用台車。
【考案の詳細な説明】
【技術分野】
【０００１】  本発明は、火災などの際に使用される、初期消火器具を運搬するための台車に関する考案である。
【背景技術】
【０００２】  近年、消防庁をはじめ地域の消防局では、町内会や自治会、またマンションなど、住宅密集地域などの火災の際、初期消火活動を推進する活動が報告されている。【０００３】  初期消火活動とは、消防車の到着する前の火災の発生初期に消火活動をすることで、被害拡大を制御できると共に、火の手が弱いうちの消火活動が効果的であるという観点より、住民らの共助、自助活動として位置付けられ、その重要性はいうまでもなく、年度毎にその普及は進んでいるものである。【０００４】  そして、初期消火活動の必要性を最も感ずる場面は、住宅密集地や商店街など、消防車が通行し辛い狭い道路や地区での火災時である。【０００５】  然るに初期消火に必要な器具類は、長年の技術の進歩と共に優れた製品が市販されているが、機材が個々に保管されているため緊急時に即使用するにあたり、保管場所が散在し、初期消火活動に必要な器具一式全てを取り揃えるのに時間を有し、初期の消火活動に供せない事象が発生する可能性があった。【０００６】  また、初期消火活動に必要な器具を実際に使用する場合、器具一式全てを消火栓まで運ばなければならず、運搬に係る労力は大変なものであり、また、器具の持ち出しを一つでも忘れると、消火活動が出来ず、非常時の対応に不便であった。【０００７】  したがって、従来では、台車に初期消火活動に必要な器具を積載して運搬に供していたが、非常時では、通常の舗装道路の運搬ばかりではなく、悪路や段差のある歩道を乗り越えるケースも多く、台車に積載した状態での振動衝撃が強く、器具の脱落、特に積載状態が不安定な消防用ホースの脱落が多く発生した。【０００８】  消防用ホースは緊急時に即使用できるように、約２０メートルにも及ぶホースを円形様に巻いて保管されており、運搬時に万一落下することがあれば、巻が解けてしまうため、巻き直ししなければならず、緊急時に大変な不具合を引き起こすものである。【０００９】  従来技術にも初期消火活動に必須な機材を台車等に載せて収束具で固束したものも多く見られるが、収束具が脆弱で、特に消防用ホースが運搬中に落下してしまう事象を完全に制御する技術は見受けられず、本考案は実際に災害救助にあたる現場の意見を具現化した初期消火活動の一助となす考案である。
【先行技術文献】
【特許文献】
【００１０】
【特許文献１】特許第３５９１６８３号公報
【００１１】
【実用新案文献】
実用新案登録第３１８６９４６号公報
【００１２】
【特許文献】特開平８−３３６６１０号公報
【考案の概要】
【問題を解決しようとする課題】
【００１３】  本考案は、以上の問題点を鑑み考案したもので、その目的は、初期消火器具を所定位置まで運搬する際に、消防用ホースの脱落を防止する初期消火器具を積載した運搬用台車を供することを目的とする。
【問題を解決するための手段】
【００１４】  本考案は、初期消火活動での必要部材である消防用ホースと、媒介金具を付設したスタンドパイプ、筒先、消火栓蓋開閉キー全てを積載出来る運搬用台車であって、消防用ホース積載部の外周に略コの字状のホースガードを配設したことを特徴とする初期消火活動に必要な機材を全て積載出来る台車である。
【考案の効果】
【００１５】  本考案による初期消火機器を積載出来る台車では、重要部材であり、かつ最も荷崩れを起こしやすく取扱いが不便な消防用ホースを、その積載部の外周に略コの字状のホースガードを配したため、消防用ホースの脱落を完全に解消し、安全かつ確実な運搬を実現出来るものである。
【図面の簡単な説明】
【００１６】
【図１】初期消火器具を積載した運搬用台車の正面図
【図２】初期消火器具を積載した運搬用台車の左側面図
【図３】初期消火器具を積載した運搬用台車の背面図
【図４】運搬時に段差を乗り越える際に使用する足掛け部の上面視説明図
【図５】運搬時に段差を乗り越える際の駆動状況説明図
【図６】脱着可能なマジックテープ付きナイロンベルトで係止した状態を示す説明図
【考案を実施するための形態】
【実施例１】
【００１７】  本考案の実施の形態を図面に基づいて詳細に説明する。
図１は本考案の初期消火器具を積載した運搬用台車を示す正面図であり、初期消火活動に必要な機材である消防用ホース２と、媒介金具を付設したスタンドパイプ３、筒先４、消火栓蓋開閉キー５と、全てを積載出来る運搬用台車１からなる。【００１８】  運搬する際は、図５に示す通り、アーム７を手で掴み、運搬用台車１を約４５度の角度でＰの方向に傾斜させ、依って左右に配置するタイヤ８ａ、８ｂに重心がかかるようにし、移動させる際、タイヤを回動させ移動出来るようにするものである。【００１９】  なお、運搬用台車１を傾斜させる際、図４に示す足掛け部１３に片足を掛けて、タイヤ８ａ、８ｂを基点に重心を掛けるようにすると、台座７を容易に浮かすことが出来、以て段差を乗り越える際に力を用いずに運搬することが出来る。【００２０】  台車自体は、公知な技術であり一般的に使用されるものであるが、当該考案は、初期消火活動に必要な機材である消防用ホース２と、媒介金具を付設したスタンドパイプ３、筒先４、消火栓蓋開閉キー５の、全てを積載出来る運搬用台車として、該部材を架台９に載せて、更にそれぞれ専用の係止具１２ａ、１２ｂ、１２ｃ、で脱着可能に固定し、かつ消防用ホース２の脱落を防止するため、消防用ホース積載部の外周に略コの字状のホースガード１１を配設し、更に脱着可能なマジックテープ付きナイロンベルト１２ｄで固束した形態となる。【００２１】  実施例１では、図６に代表して消火栓蓋開閉キー５の係止状態を示すが、媒介金具を付設したスタンドパイプ３、筒先４も同じ方法によって、それぞれ運搬用台車１にボルト１４によって係止具１０ａ、１０ｂ、１０ｃが固定され、係止具１０ａ、１０ｂ、１０ｃにはそれぞれ脱着可能なマジックテープ付きナイロンベルト１２ａ、１２ｂ、１２ｃが付設されている。【００２２】  媒介金具を付設したスタンドパイプ３、筒先４、消火栓蓋開閉キー５は上記の方法で、脱着可能なマジックテープ付きナイロンベルト１２ａ、１２ｂ、１２ｃでそれぞれ運搬用台車１に固束されている。【００２３】  実施例１では、係止具１０ａ、１０ｂ、１０ｃはボルト１４によって取り付けた例を示したが、取り付けの方法は特に他の方法でも良く、脱着可能なマジックテープ付きナイロンベルト１２ａ、１２ｂ、１２ｃによる固束方法も、他の方法、例えば金属や樹脂製の留め具を用いるなど、方式は問わない。【００２４】  消防用ホース１は、図１と図２に示すように、略円形状に巻かれたものであり、ホースガード１１で囲われた台座７の上面に複数を立てて保持され、脱着可能なマジックテープ付きナイロンベルト１２ｄで係止される。【００２５】  然るに、消防用ホース２は、運搬時の衝撃等で搖動しても、ホースガード１１で外枠を保持されているため、脱落が皆無になる構成である。【００２６】  実施例１では、消防用ホース２を３本積載した形態を例示したが、必要に応じ、積載する消防用ホースの数量は増減して良いのは言うまでもない。
【産業上の利用可能性】
【００２７】  本考案は、火災消火活動、特に初期消火活動を進める防災分野での活用が期待される。
【符号の説明】
【００２８】１  運搬用台車
２  消防用ホース
３  媒介金具を付設したスタンドパイプ
４  筒先
５  消火栓蓋開閉キー
６  アーム
７  台座
８ａ、８ｂ  タイヤ
９  架台
１０ａ、１０ｂ、１０ｃ  係止具
１１  ホースガード
１２ａ、１２ｂ、１２ｃ、１２ｄ  脱着可能なマジックテープ付きナイロンベルト
【図１】
0003201182.tif 000003
【図２】
0003201182.tif 000004
【図３】
0003201182.tif 000005
【図４】
0003201182.tif 000006
【図５】
0003201182.tif 000007
【図６】
0003201182.tif 000008